(57)【要約】  【課題】  金属製蛇腹管の挿入完了時に挿入感覚を得る構造にすることにより金属製蛇腹管の所定の挿入量を確保でき、マーキングレス化が図れ、狭所、閉所、暗所などにおいても挿入不足問題を解消できる。【解決手段】  金属製蛇腹管７の谷部内径よりも大きく山部内径よりも小さい外径を持つスナップリング５が、継手本体１の内筒部１０の外周面上のシールパッキン３よりも内奥箇所に位置するように嵌め込まれる。金属製蛇腹管７のスナップリング５への挿入抵抗値は環状ホルダー４への挿入抵抗値よりも大きく設定する。金属製蛇腹管７の露出端部７ａが、押輪２、環状ホルダー４、及びシールパッキン３に順次挿入されて行くが、スナップリング５に達すると、金属製蛇腹管７の露出端部７ａの最先端の谷部がスナップリング５を乗り越えるとき挿入抵抗が最大となり、その乗り越えを終えた直後の挿入感覚により所定挿入量を得たことを確認できる。【選択図】      図２
2005282724.tif 000002
【特許請求の範囲】
【請求項１】
一端に内外二重筒部よりなる受口部を有する継手本体と、前記外筒部の内周に設けた雌ねじにねじ込まれる押輪と、前記外筒部に内嵌された環状のシールパッキン及び拡縮変形自在な環状ホルダーと、を備えており、外表面に樹脂被膜を施してある金属製蛇腹管の露出端部が、前記押輪に挿入されるとともに、更に前記シールパッキン及び前記環状ホルダーのそれぞれの内周と前記内筒部の外周との間に挿入されるようにしてあり、前記環状ホルダーの最小内径部は前記金属製蛇腹管の山部外径よりも小さく谷部外径よりも大きく設定している金属製蛇腹管継手において、
前記金属製蛇腹管の谷部内径よりも大きく山部内径よりも小さい外径を持ち且つ外径部一端に管挿入案内用テーパを付けたスナップリングが、前記内筒部の外周面上の前記シールパッキンよりも内奥箇所に位置するように嵌め込まれ、前記金属製蛇腹管のスナップリングへの挿入抵抗値は前記金属製蛇腹管の環状ホルダーへの挿入抵抗値よりも大きく設定していることを特徴とする、金属製蛇腹管継手。
【請求項２】
一端に受口部を有する継手本体と、前記受口部の内周に設けた雌ねじにねじ込まれる押輪と、前記受口部に内嵌された環状のシールパッキン及び拡縮変形自在な環状ホルダーと、を備えており、外表面に樹脂被膜を施してある金属製蛇腹管の露出端部が、前記押輪に挿入されるとともに、更に前記シールパッキン及び前記環状ホルダーのそれぞれに挿入されるようにしてあり、前記環状ホルダーの最小内径部は前記金属製蛇腹管の山部外径よりも小さく谷部外径よりも大きく設定している金属製蛇腹管継手において、
前記金属製蛇腹管の山部外径よりも小さく谷部外径よりも大きい内径を持ち且つ内径部一端に管挿入案内用テーパを付けたスナップリングが前記受口部の内周面上の前記シールパッキンよりも内奥箇所に位置するよう嵌め込まれ、前記金属製蛇腹管のスナップリングへの挿入抵抗値は前記金属製蛇腹管の前記環状ホルダーへの挿入抵抗値よりも大きく設定していることを特徴とする、金属製蛇腹管継手。
【請求項３】
一端に受口部を有する継手本体と、前記受口部の内周に設けた雌ねじにねじ込まれる押輪と、前記受口部に内嵌された環状のシールパッキン及び拡縮変形自在な環状ホルダーと、を備えており、外表面に樹脂被膜を施してある金属製蛇腹管の露出端部が、前記押輪に挿入されるとともに、更に前記シールパッキン及び前記環状ホルダーのそれぞれに挿入されるようにしてあり、前記環状ホルダーの最小内径部は前記金属製蛇腹管の山部外径よりも小さく谷部外径よりも大きく設定している金属製蛇腹管継手において、
前記環状ホルダーが前記シールパッキンよりも内奥箇所に位置するよう配置され、前記金属製蛇腹管の環状ホルダーへの挿入抵抗値は前記金属製蛇腹管の前記シールパッキンへの挿入抵抗値よりも大きく設定していることを特徴とする、金属製蛇腹管継手。
【発明の詳細な説明】
【技術分野】
【０００１】
本発明は、屋外ガス機器等に接続される金属製蛇腹管用の管継手に関する。
【背景技術】
【０００２】
従来の金属製蛇腹管継手には、例えば、図９に示すような構造のものがある。そこでは、一端に内外二重筒部３０，３１よりなる受口部３２を有する継手本体３３と、外筒部３１の内周に設けた雌ねじ３４にねじ込まれる押輪３５と、外筒部３１に内嵌された環状のシールパッキン３６及び拡縮変形自在な金属製の環状ホルダー３７とを備える。かくして、外表面に樹脂被膜６を施してある金属製蛇腹管７の樹脂被膜６を剥離した露出端部７ａが、図１０に示すように、押輪３５に挿入されるとともに、更に環状ホルダー３７及びシールパッキン３６のそれぞれの内周と内筒部３０の外周との間に挿入されるようにしてある。環状ホルダー３７は金属製蛇腹管７の挿入後の抜止めを講じるものであって、該環状ホルダー３７の最小内径部が金属製蛇腹管７の山部外径よりも小さく谷部外径よりも大きく設定されて金属製蛇腹管７の挿入後に或る谷部に係合状態を維持することにより金属製蛇腹管７の抜け止めを図り得るようにしてある。
【発明の開示】
【発明が解決しようとする課題】
【０００３】
しかるに、上記金属製蛇腹管継手では、金属製蛇腹管７の露出端部７ａを挿入した時、環状ホルダー３７を通過後にシールパッキン３６を通過する構造となっている。金属製蛇腹管７が環状ホルダー３７を通過する時の抵抗は、同管７がシールパッキン３６を通過する時の抵抗よりも大きいため、金属製蛇腹管７が環状ホルダー３７を通過後、挿入完了ではないにもかかわらず、挿入感覚が得られてしまい、挿入完了時の判断がつきにくい。そのため、やむを得ず金属製蛇腹管７にマーキング（図示せず）を施すことにより対応している。しかし、マーキングの目視確認は作業場所が狭い所、閉ざされた所、暗い所などでは非常に困難であるため、金属製蛇腹管７の挿入不足、挿入不足による継手本体１内と金属製蛇腹管７間のシールパッキン３６による長期気密性に不安が残る。
【０００４】
そこで本発明の目的は、このような問題を解消するためになされたもので、金属製蛇腹管の挿入完了時に確実な挿入感覚を得るための工夫を凝らすことによりマーキングレス化が図れ、狭所、閉所、暗所などにおいても挿入不足となる問題を解決できる金属製蛇腹管継手を提供することにある。
【課題を解決するための手段】
【０００５】
本発明に係る金属製蛇腹管継手は、一端に内外二重筒部よりなる受口部を有する継手本体と、前記外筒部の内周に設けた雌ねじにねじ込まれる押輪と、前記外筒部に内嵌された環状のシールパッキン及び拡縮変形自在な環状ホルダーと、を備えており、外表面に樹脂被膜を施してある金属製蛇腹管の露出端部が、前記押輪に挿入されるとともに、更に前記シールパッキン及び前記環状ホルダーのそれぞれの内周と前記内筒部の外周との間に挿入されるようにしてあり、前記環状ホルダーの最小内径部は前記金属製蛇腹管の山部外径よりも小さく谷部外径よりも大きく設定している。
【０００６】
そのうえで本発明は、前記金属製蛇腹管の谷部内径よりも大きく山部内径よりも小さい外径を持ち且つ外径部一端に管挿入案内用テーパを付けたスナップリングが、前記内筒部の外周面上の前記シールパッキンよりも内奥箇所に位置するように嵌め込まれ、前記金属製蛇腹管のスナップリングへの挿入抵抗値は前記金属製蛇腹管の前記環状ホルダーへの挿入抵抗値よりも大きく設定していることに特徴を有するものである。
【０００７】
このようにスナップリングを内筒部の外周面上の内奥箇所に嵌め込んでおくと、金属製蛇腹管の露出端部が、押輪、環状ホルダー及びシールパッキンに順次挿入されてスナップリングに達し、金属製蛇腹管の露出端部の最先端の谷部がこのスナップリングを乗り越えるとき挿入抵抗が最大となって手応えがあり、該スナップリングを乗り越えたとき確実な挿入感、つまりカチット感が得られる。即ち、金属製蛇腹管の露出端部の最先端の谷部がスナップリングを乗り越えた直後に得られる挿入感覚により金属製蛇腹管の挿入が完了し、この時の挿入感覚により所定挿入量を得たことを確認できる。また手で金属製蛇腹管の露出端部を容易に挿入できる。
【０００８】
また本発明は、前記金属製蛇腹管の山部外径よりも小さく谷部外径よりも大きい内径を持ち且つ内径部一端に管挿入案内用テーパを付けたスナップリングが、前記受口部の内周面上の前記シールパッキンよりも内奥箇所に位置するよう嵌め込まれ、前記金属製蛇腹管のスナップリングへの挿入抵抗値は前記金属製蛇腹管の前記環状ホルダーへの挿入抵抗値よりも大きく設定していることに特徴を有するものである。
【０００９】
このようにスナップリングを受口部の内周面上の内奥箇所に嵌め込んでおくと、金属製蛇腹管の露出端部が、押輪、環状ホルダー、及びシールパッキンに順次挿入されてスナップリングに達し、金属製蛇腹管の露出端部の最先端の山部がこのスナップリングを乗り越えるとき挿入抵抗が最大となって手応えがあり、スナップリングを乗り越えた時に確実な挿入感、つまりカチット感が得られる。このように金属製蛇腹管の挿入完了時で手応えがあった直後に挿入を止める。この段階で金属製蛇腹管の所定挿入量を得たことを確認できる。また手で金属製蛇腹管の露出端部を容易に挿入できる。
【００１０】
さらに本発明は、前記環状ホルダーが前記シールパッキンよりも内奥に位置するよう配置され、前記金属製蛇腹管の環状ホルダーへの挿入抵抗値は前記金属製蛇腹管の前記シールパッキンへの挿入抵抗値よりも大きく設定していることに特徴を有するものである。
【００１１】
これによれば、金属製蛇腹管の露出端部が、押輪、シールパッキンに順次挿入されて環状ホルダーに達すると、金属製蛇腹管の露出端部の最先端の山部がこの環状ホルダーを通過するが、この通過時の挿入抵抗はシールパッキンの通過時の抵抗よりも大きくて手応えがあり、この手応えがあった直後に挿入を止める。即ち、金属製蛇腹管の挿入完了時で手応えがあった直後に所定挿入量を得たことを確認できる。また手で金属製蛇腹管の露出端部を容易に挿入できる。
【発明の効果】
【００１２】
本発明の金属製蛇腹管継手によれば、金属製蛇腹管の挿入完了時に確実な挿入感覚を得る構造にしてあるので、金属製蛇腹管の所定の挿入量を確保でき、マーキングレス化が図れ、狭所、閉所、暗所などにおいても挿入不足問題を解消できて安全性を高められるという効果を奏する。
【発明を実施するための最良の形態】
【００１３】
以下、本発明に係る金属製蛇腹管継手の好適な実施形態を説明する。
【００１４】
（第１実施例）
本発明に係る金属製蛇腹管継手の第１実施例を図１ないし図４に基づき説明する。金属製蛇腹管継手は、図１に示すように、継手本体１と、押輪２と、シールパッキン３及び環状ホルダー４、及びスナップリング５とを備える。
【００１５】
継手本体１はこれの一端に、外表面に樹脂被膜６を施してある金属製蛇腹管７の樹脂被膜６を剥離した露出端部７ａを受け入れるための受口部８を備え、他端部の外周に他のライザー管継手等が接続される雄ねじ９を設けている。受口部８は内外二重筒部１０，１１よりなり、外筒部１１は内筒部１０よりも長く突出形成され、その開口端内周に雌ねじ１２を設けている。
【００１６】
押輪２はこれの先端部の外周に前記継手本体１の雌ねじ１２に螺合する雄ねじ１３を設け、押輪２の内周には環状凹溝１４を設け、この環状凹溝１４に断面Ｔ形状の防水パッキン１５を嵌め込んでいる。押輪２は継手本体１の雌ねじ１２にねじ込むとき、継手本体１の外筒部１１の開口端面と、この端面に対向する押輪２の鍔部２ａの端面との間に、樹脂製のリングシート２５を介在させる。
【００１７】
シールパッキン３はＮＢＲ等で環状に形成するとともに、この一端に熱膨張性黒鉛等による耐火部３ａを一体に形成している。このシールパッキン３は、金属製蛇腹管７の山部外径よりも小さい内径を有し、継手本体１の外筒部１１に耐火部３ａが内奥側になるように内嵌される。
【００１８】
環状ホルダー４は、図３に示すように、金属製リングに円周方向に所定間隔置きにスリット２９を入れて該金属製リングを数分割し、各分割体４ａの外周に設けた溝１６に１．５巻き程度のコイルスプリング等よりなる弾性リング１７を嵌め込むことにより拡縮変形自在に構成している。また環状ホルダー４は一端開口部の内周に管挿入案内用テーパ１８を付け、環状ホルダー４の最小内径部は金属製蛇腹管７の山部外径よりも小さく谷部外径よりも大きく設定している。この環状ホルダー４は、図１に示すように、継手本体１内において押輪２の先端部とシールパッキン３との間に位置するよう外筒部１１に内嵌される。
【００１９】
スナップリング５は、図４に示すように、ＳＵＳ等の金属リングの円周一部を切離した欠円リングに形成し、その外径部の軸方向一端に管挿入案内用テーパ１９を付けている。スナップリング５の外径寸法は、金属製蛇腹管７の谷部内径よりも大きく山部内径よりも小さく設定している。スナップリング５は、図１に示すように、継手本体１の内筒部１０の外周面上の前記シールパッキン３よりも内奥箇所に設けた環状凹溝２０にＮＢＲ等よりなるバックアップリング２１を介して嵌め込まれる。そして、金属製蛇腹管７のスナップリング５への挿入抵抗値は、金属製蛇腹管７の環状ホルダー４への挿入抵抗値よりも大きく設定している。
【００２０】
上記のように組み立てられた金属製蛇腹管継手において、金属製蛇腹管７の露出端部７ａが、押輪２の内部、環状ホルダー４及びシールパッキン３のそれぞれの内周と内筒部１０の外周との間に順次挿入されて行くが、スナップリング５に達すると、金属製蛇腹管７の露出端部７ａの最先端の谷部２２がこのスナップリング５を乗り越えるとき挿入抵抗が最大となるため手応えがあり、図２に示すごとくそれを乗り越えてしまうと同時に確実な挿入感、つまりカチット感が得られる。即ち、金属製蛇腹管７の挿入完了時で手応えがあった直後に挿入を止め、この時に金属製蛇腹管７の所定の挿入量を得たことを確認できる。また手で金属製蛇腹管の露出端部を容易に挿入できる。
【００２１】
図２に示すごとき金属製蛇腹管７の挿入完了状態では、継手本体１の外筒部１１の内径部と金属製蛇腹管７の露出端部７ａとの間の気密性がシールパッキン３によって確保される。環状ホルダー４の最小内径部が金属製蛇腹管７の或る谷部の外径部に係合した状態を維持することによって金属製蛇腹管７が抜け止め状に保持される。金属製蛇腹管７の樹脂被膜６と押輪２の内径部との間は防水パッキン１５によってシールされ、外部からの水浸入を防止できる。
【００２２】
（第２実施例）
次に、図５、図６に基いて金属製蛇腹管継手の第２実施例について説明する。この実施例ではスナップリング５が継手本体１の受口部８の内周面、即ち外筒部１１の内周面上のシールパッキン３よりも内奥箇所に設けた環状凹溝２８に、ＮＢＲ等よりなるバックアップリング２０を介して嵌め込まれる。スナップリング５は金属製蛇腹管７の山部外径よりも小さく谷部外径よりも大きい内径を持ち且つ内径部一端に管挿入案内用テーパ２３を付けている。そして、このスナップリング５への金属製蛇腹管７の挿入抵抗値は、金属製蛇腹管７の環状ホルダー４への金属製蛇腹管７の挿入抵抗値よりも大きく設定している。なお、この実施例では、受口部８は外筒部１１のみで構成することもでき、内筒部１０は必ずしも必要とするものではない。その他の構成は第１実施例の金属製蛇腹管継手の場合と同様である。
【００２３】
この実施例の金属製蛇腹管継手においても、第１実施例の場合と同様に、金属製蛇腹管７の露出端部７ａが、押輪２、環状ホルダー４、シールパッキン３、及びスナップリング５を順次挿入されて行くが、スナップリング５に達して金属製蛇腹管７の露出端部７ａの最先端の山部２４がこのスナップリング５を乗り越えた直後に確実な挿入感、つまりカチット感が得られる。即ち、金属製蛇腹管７の挿入完了時で挿入感を得ることにより所定の挿入量を得たことを確認できる。また手で金属製蛇腹管７の露出端部７ａを容易に挿入できる。
【００２４】
（第３実施例）
図７、図８は第３実施例の金属製蛇腹管継手を示すものであり、この実施例では、第１，２実施例の場合のようにスナップリング５を用いることなく、継手本体１の受口部８の内周面、即ち外筒部１１の内周面上に、環状ホルダー４がシールパッキン３よりも内奥に位置するよう配置され、金属製蛇腹管７の環状ホルダー４への挿入抵抗値を金属製蛇腹管７のシールパッキン３への挿入抵抗値よりも大きく設定している。かかる環状ホルダー４、シールパッキン３の挿入低下値の設定に際しては、例えば、環状ホルダー４の場合はその分割数、弾性リング１７の線径等を調整し、これに応じてシールパッキン３の硬度、軸方向長さ等を調整する。なお、受口部８の内周面上の環状ホルダー４とシールパッキン３との間には金属製の断面三角形状のリテーナ２６を介在させる。受口部８の内周面上の環状ホルダー４よりも更に内奥には、シールパッキン３とは別体に熱膨張性黒鉛等により成形された耐火パッキン２７を配置している。この実施例では、受口部８は外筒部１１のみで構成することもでき、内筒部１０は必ずしも必要とするものではない。その他の構成は第１実施例の金属製蛇腹管継手の場合と同様である。
【００２５】
このように構成された金属製蛇腹管継手によれば、金属製蛇腹管７の露出端部７ａが、押輪２、シールパッキン３、及び環状ホルダー４に順次挿入されて行くが、環状ホルダー４に達すると金属製蛇腹管７の露出端部７ａの最先端の山部２４がこの環状ホルダー４を乗り越え、このときの挿入抵抗は前記シールパッキン３の通過時の抵抗よりも大であるため手応えがあって、それを乗り越えた直後に確実な挿入感、つまりカチット感が得られる。即ち、金属製蛇腹管７の挿入完了時にかかる挿入感を得ることにより所定挿入量を得たことを確認できる。また手で金属製蛇腹管７の露出端部７ａを容易に挿入できる。
【００２６】
本発明の対象とする金属製蛇腹管継手は、図示例のストレート形状のものに限定されるものではなく、それ以外に、エルボ形状、Ｔ形状などの各種形状のものにも適用できることは言うまでもない。
【図面の簡単な説明】
【００２７】
【図１】第１実施例の金属製蛇腹管継手を金属製蛇腹管挿入前の状態で示す半欠截断面図である。
【図２】第１実施例の金属製蛇腹管継手を金属製蛇腹管挿入後の状態で示す半欠截断面図である。
【図３】環状ホルダーの半欠截断面図である。
【図４】スナップリングの正面図である。
【図５】第２実施例の金属製蛇腹管継手を金属製蛇腹管挿入前の状態で示す半欠截断面図である。
【図６】第２実施例の金属製蛇腹管継手を金属製蛇腹管挿入後の状態で示す半欠截断面図である。
【図７】第３実施例の金属製蛇腹管継手を金属製蛇腹管挿入前の状態で示す半欠截断面図である。
【図８】第３実施例の金属製蛇腹管継手を金属製蛇腹管挿入後の状態で示す半欠截断面図である。
【図９】従来例の金属製蛇腹管継手を金属製蛇腹管挿入前の状態で示す半欠截断面図である。
【図１０】図9の金属製蛇腹管継手を金属製蛇腹管挿入後の状態で示す半欠截断面図である。
【符号の説明】
【００２８】
１  継手本体
２  押輪
３  シールパッキン
４  環状ホルダー
５  スナップリング
６  樹脂被膜
７  金属製蛇腹管
８  受口部
１０  内筒部
１１  外筒部
１８  環状ホルダーの管挿入案内用テーパ
１９  スナップリングの管挿入案内用テーパ
【図１】
2005282724.tif 000003
【図２】
2005282724.tif 000004
【図３】
2005282724.tif 000005
【図４】
2005282724.tif 000006
【図５】
2005282724.tif 000007
【図６】
2005282724.tif 000008
【図７】
2005282724.tif 000009
【図８】
2005282724.tif 000010
【図９】
2005282724.tif 000011
【図１０】
2005282724.tif 000012